(57)【要約】  【課題】フリーアドレスタイプのデスクシステムにおけるレイアウトの一つとして一部の天板を取り除いた場合に、中間脚が新たに端部に位置することによる外観の毀損や使用状態等の低下を有効に防止する上で有用となる新たな構造を備えたデスクシステムを実現する。  【解決手段】天板３の一部を取り除いて開放空間ＯＰを形成した際に、開放空間ＯＰに隣接する中間脚２（２Ｖ）に後付けで取り付け可能なカバー脚Ｃを備え、この補助脚Ｃを、中間脚２のステー２２の下方に配置される内パネル５と、この内パネル５を少なくとも使用縁３ａ側に接地させる接地部７とにより構成することとした。  【選択図】図７
2010004936.tif 000002
【特許請求の範囲】
【請求項１】
反使用縁側に接地し使用縁側に水平部を延び出させた中間脚と、反使用縁側から使用縁側にかけて少なくとも２箇所に接地するパネル状の端部脚と、隣接する前記中間脚同士又は前記中間脚と前記端部脚との間を連結する連結部材と、隣接する前記中間脚の水平部間又は前記中間脚と前記端部脚との水平部間にまたがって着脱可能に載せ置かれる天板とを具備し、水平部を利用して複数の天板を幅方向に連ねた状態で各天板の下肢空間が前記中間脚の水平部の下方空間を介して幅方向に連続するデスクシステムにおいて、
前記天板の一部を取り除いて開放空間を形成した際に、当該開放空間に隣接する中間脚に後付けで取り付け可能な補助脚を更に具備し、この補助脚は、前記中間脚の水平部の下方に配置される内パネルと、この内パネルを少なくとも使用縁側に接地させる接地部とを備えることを特徴とするデスクシステム。
【請求項２】
補助脚は、内パネル及び中間脚に加えて、それらの外側面を覆う位置に取り付け可能な外パネルを更に具備する請求項１記載のデスクシステム。
【請求項３】
中間脚は、天板巾方向に沿って水平部の片半部ずつに隣接する天板の側縁を載せ置く構造を有し、外パネルは、天板を取り除いた際に表出する前記水平部の片半部に被るように取り付けられて、天板面にほぼ連続する頂板と、天板の使用縁にほぼ前後位置を合致させる前板と、内パネル及び中間脚の外側面にほぼ密着する側板とを具備する請求項２記載のデスクシステム。
【請求項４】
内パネルは、前方からスライドすることによって中間脚の水平部の下面に係り合う第１の係り合い部を有し、外パネルは、鉛直方向に落とし込むことによって内パネル及び中間脚の外側面に係り合う第２の係り合い部を有する請求項２又は３何れかに記載のデスクシステム。
【請求項５】
端部脚は、中間脚に補助脚を取り付けて構成したものである請求項２〜４何れかに記載のデスクシステム。
【請求項６】
複数の天板を幅方向に連ねた状態から、一部の天板を端部脚とともに取り除いて開放空間を形成する場合に、補助脚が当該開放空間に隣接する中間脚に取り付けられる請求項１〜５何れかに記載のデスクシステム。
【請求項７】
複数の天板を幅方向に連ねた状態から、一部の天板を左右の天板の間から中抜きして開放空間を形成する場合に、補助脚が当該開放空間に隣接する中間脚に取り付けられる請求項１〜５何れかに記載のデスクシステム。
【発明の詳細な説明】
【技術分野】
【０００１】
本発明は、フリーアドレス制を採用するオフィス等に好適に適用されるデスクシステムに関するものである。
【背景技術】
【０００２】
近時におけるオフィスの形態は、ワーカーが自席を有さず、大型デスクの必要な箇所に適宜着席して執務を行う、いわゆるフリーアドレス制が採用されることが多い。この場合、足元が中間脚と干渉せず、ワゴン等も天板下の必要な箇所に挿入可能とするために、中間脚を反使用縁側のみで接地させて使用縁側の下方空間を開放し、端部には前後方向の接地巾を確保したパネル状の端部脚を用いて、それらの中間脚および端部脚の水平部に天板を支持させ、デスクの自立性と下肢空間の連続性とを確保するようにしたものが知られている。
【０００３】
このようなデスクシステムの機能として、一部の天板を取り除いた位置に開放空間を形成し、その開放空間をコピーコーナー等として利用できる態様を可能にしたものも一部に考えられている。
【特許文献１】特開平０６−２６９３２１号公報
【発明の開示】
【発明が解決しようとする課題】
【０００４】
ところが、上述したような下肢空間の連続するフリーアドレスタイプのデスクシステムにおいて、天板を端部脚とともに取り除くと、中間脚がエンドに位置することとなる。そして、中間脚は反使用縁側に接地しているだけで、使用縁側の下方空間が開放されているため、側方の天板の下肢空間が開放空間に表出して雑多な印象を与え、デスクの外観の毀損につながるとともに、開放空間も明確に区分されないため、使い勝手も低下することとなる。また、中間脚の水平部に上載荷重が作用すると、中間脚は反使用縁側で接地しているのみであるため、天板が使用縁側に沈み込み易い不安定な状態となる。これらの不具合は、一部の天板を左右の天板の間から中抜きした場合にも同様に生じ得る。
【０００５】
本発明は、このような課題に着目してなされたものであって、フリーアドレスタイプのデスクシステムにおけるレイアウトの一つとして一部の天板を取り除いた場合に、デスク全体の外観や使用状態等を適切に保つ上で有用となる新たな構造を実現することを目的としている。
【課題を解決するための手段】
【０００６】
本発明は、かかる目的を達成するために、次のような手段を講じたものである。
【０００７】
すなわち、本発明のデスクシステムは、反使用縁側に接地し使用縁側に水平部を延び出させた中間脚と、反使用縁側から使用縁側にかけて少なくとも２箇所に接地するパネル状の端部脚と、隣接する前記中間脚同士又は前記中間脚と前記端部脚との間を連結する連結部材と、隣接する前記中間脚の水平部間又は前記中間脚と前記端部脚との水平部間にまたがって着脱可能に載せ置かれる天板とを具備し、水平部を利用して複数の天板を幅方向に連ねた状態で各天板の下肢空間が前記中間脚の水平部の下方空間を介して幅方向に連続するように構成されるものである。
【０００８】
そして、前記天板の一部を取り除いて開放空間を形成した際に、当該開放空間に隣接する中間脚に後付けで取り付け可能な補助脚を更に具備し、この補助脚は、前記中間脚の水平部の下方に配置される内パネルと、この内パネルを少なくとも使用縁側に接地させる接地部とを備えることを特徴とする。
【０００９】
このように構成すると、開放空間と天板の下肢空間との間が内パネルによって明確に仕切られるので、下肢空間の遮蔽効果と開放空間の使い勝手とを有効に向上させることができる。しかも、中間脚の水平部に作用する上載荷重の一部は内パネルを介して使用縁側に接地する接地部に支持されるため、天板とともに端部脚が取り除かれたような場合でも、端部脚に代替して奥行き方向の接地巾を有効に確保することができる。一部の天板を左右の天板の間から中抜きした場合もこれに準ずる。
中間脚と内パネルとの隣接部分を好適に処理するためには、補助脚が、内パネル及び中間脚に加えて、それらの外側面を覆う位置に取り付け可能な外パネルを更に具備していることが望ましい。
【００１０】
中間脚が、天板巾方向に沿って水平部の片半部ずつに隣接する天板の側縁を載せ置く構造を有している場合に、中間脚ともども外観を有効に整えるためには、外パネルが、天板を取り除いた際に表出する前記水平部の片半部に被るように取り付けられて、天板面にほぼ連続する頂板と、天板の使用縁にほぼ前後位置を合致させる前板と、内パネル及び中間脚の外側面にほぼ密着する側板とを具備していることが好ましい。
【００１１】
内パネルを外パネルを利用して中間脚に簡単、確実に取り付け可能とするためには、内パネルが、前方からスライドすることによって中間脚の水平部の下面に係り合う第１の係り合い部を有し、外パネルが、鉛直方向に落とし込むことによって内パネル及び中間脚の外側面に係り合う第２の係り合い部を有していることが望ましい。
【００１２】
デスク全体の統一感を得るとともに、天板の更なる増連等にも容易に対応するためには、端部脚が、中間脚に補助脚を取り付けることによって構成されたものであることが好ましい。
【００１３】
本発明の好適な実施の態様としては、次のようなものが挙げられる。
複数の天板を幅方向に連ねた状態から、一部の天板を端部脚とともに取り除いて開放空間を形成する場合に、補助脚が当該開放空間に隣接する中間脚に取り付けられる態様。
複数の天板を幅方向に連ねた状態から、一部の天板を左右の天板の間から中抜きして開放空間を形成する場合に、補助脚が当該開放空間に隣接する中間脚に取り付けられる態様。
【発明の効果】
【００１４】
本発明は、以上説明した構成であるから、天板が着脱可能であって中間脚の下方空間が開放されたフリーアドレスタイプのデスクシステムにおけるレイアウトの一つとして、一部の天板を取り除いた場合に、中間脚に後付けで補助脚を取り付け得る構成を採用することによって、中間脚の下方空間を補助脚の内パネルで閉止するとともに、中間脚の使用縁側を補助脚の内パネルおよび接地部を通じて有効に支持することができるので、デスク全体の外観や適正な設置状態・使用状態を確保しつつ、デスク本来のレイアウト変更機能を真に実効あらしめるようにした、実用性の高いデスクシステムを提供することが可能となる。
【発明を実施するための最良の形態】
【００１５】
以下、本発明の一実施形態を、図面を参照して説明する。
【００１６】
この実施形態のデスクシステムは、図１に示すように、端部脚１および中間脚２を具備し、これらの脚１、２に幅方向に沿って複数の天板３を支持させるとともに、奥行き方向にも対面使用可能な状態で各一対に天板３を配置して大型のデスクを構成する。
【００１７】
中間脚２は、天板３の反使用縁３ｂ側に接地する起立部である脚支柱２１と、この脚支柱２１の上端部より天板３の使用縁３ａ側に延び出る水平部たるステー２２とを具備してなるもので、この実施形態の中間脚２は逆Ｌ字状をなしている。ここに、使用縁３ａ側とは、天板３に着座した使用者に近い側の縁部をいい、反使用縁３ｂ側とは、天板３に着座した使用者から遠い側の縁部をいう。天板３，３が対面配置される際には、デスクシステム全体の奥行き方向両縁が使用縁３ａとなり、中央に反使用縁３ｂ、３ｂが向き合う形となる。
【００１８】
ステー２２には、図２及び図３に示すように、ステー２２の上面に設定した天板支持面２２ａより上方に突出して後向きに屈曲する前後の可動爪２２ｂ，２２ｃと、両可動爪２２ｂ，２２ｃの間から上方に突出する舌片状のアンカー部２２ｄとが設けてある。可動爪２２ｂ，２２ｃは、ステー２２内に構成した駆動機構２３によってステー２２の奥行き方向に一体的に作動可能とされ、図２に示す天板３の側縁３ｃ近傍の下面に設けたフック孔３１、３２に同時に係り合う関係をなす。アンカー部２２ｄは天板３の対応位置に設けたスリット３３に差し込まれ、天板３を奥行き方向に位置決めする。したがって、可動爪２２ｂ，２２ｃは、天板３を引きずることなく、奥行き方向及び厚み方向に天板３をステー２２に固定することができる。
【００１９】
中間脚２を構成する脚支柱２１にも、図２及び図３に示すように、後面２１ａから後方に突出して下向きに屈曲する上下の可動爪２１ｂ、２１ｃと、両可動爪２１ｂ、２１ｃの間から後方に突出する舌片状のアンカー部２１ｄと、上可動爪２１ｂの上方から後方に突出して上向きに屈曲するアンカー部２１ｅとが設けてある。可動爪２１ｂ、２１ｃは、脚支柱２１内に構成した駆動機構２５によって脚支柱２１の上下方向に一体的に作動可能とされ、図２に示す連結部材たる背板４の側縁４ｃ近傍の前面に設けたフック孔４１，４２に同時に係り合う関係をなす。アンカー部２１ｄ、２１ｅは背板４の対応位置に設けたスリット４３、４４に差し込まれ、背板４を上下方向に位置決めする。したがって、可動爪２１ｂ、２１ｃは、背板４を引きずることなく、上下方向及び厚み方向に背板４を脚支柱２１に固定することができる。
【００２０】
各可動爪２２ｂ，２２ｃ、２１ｂ、２１ｃおよびアンカー部２２ｄ、２１ｄ、２１ｅは、デスクの巾方向に各一対に設けられており、対応する天板３及び背板４のフック孔３１，３２，４１，４２及びスリット３３，４３，４４も各一対に設けられている。左右の天板３、３を共通の中間脚２で支持する際には、ステー２２の天板支持面２２ａの幅方向片半部の領域がそれぞれ左右の天板３の側縁３ｃを支持する。背板４についても同様である。対面位置にある中間脚２、２は、連結部材である共通の背板４に前後方向から背合わせに取り付けられる。
【００２１】
このように、中間脚２は左右の天板３，３と係り合い、また左右の背板４，４とも係り合うとともに、対面方向にも、一対の中間脚２，２がともに共通の背板４に背合わせに係り合うため、背板４、中間脚２および天板３は図１に示すように一体的に連結されて大型デスクを構成することとなる。
【００２２】
図１に示す端部脚１はパネル状のもので、具体的構造については後述するが、天板３及び背板４と着脱可能に係り合う構造を有し、図１等においては省略しているが反使用縁３ｂ側と使用縁３ａ側の２箇所において接地する。すなわち、このデスクは、端部脚１で自立性を確保した上で、天板３の下肢空間Ｓが中間脚２のステー２２の下方空間Ｔを介して幅方向に連続するため、着座者が中間脚２と干渉することなく任意の場所に着席することができ、ワゴン等も中間脚２と干渉することなく任意の位置に挿入することができる。
【００２３】
そして、天板３は端部脚１や中間脚２に対して着脱可能であり、端部脚１も背板４に対して着脱可能であるため、図１→図４に示すように、端部脚１とともに一部の天板３を取り除いた切欠状のレイアウトを実現することができる。
【００２４】
この場合、一部の中間脚２（２Ｖ）が新たに天板巾方向のエンドに位置し、その側方の天板３を取り除いた部位に開放空間ＯＰが形成されることとなるが、中間脚２（２Ｖ）は天板３の反使用縁３ｂ側において接地しているだけで、使用縁３ａ側の下方空間Ｔが開放されているため、天板３の下肢空間Ｓが開放空間ＯＰ側（図４における矢印Ｘ側）に表出して雑多な状態となり、デスクの外観の毀損につながるとともに、開放空間ＯＰも明確に区画されないために使い勝手も低下することとなる。また、中間脚２（２Ｖ）のステー２２に上載荷重Ｗ１が作用すると、中間脚２は天板３の反使用縁３ｂ側でのみ接地しているため、天板３の使用縁３ａ側が沈み込み易い不安定な状態となる。
【００２５】
さらに、天板３を取り除く前の図１の状態においては、対面方向の一対の天板３，３の荷重は中間脚２を介して連結部材である背板４上でバランスしていたところ、図４に示すように一方の天板３を取り除くと、そのバランスが崩れることになる。そして、中間脚２は使用縁３ａ側に接地していないため、開放空間ＯＰの対面位置にある天板３（３Ｕ）の使用縁３ａ側が同図中矢印Ｙ１に示すように沈み込み、これに伴って、開放空間ＯＰに隣接する中間脚２（２Ｖ）のステー２２の先端が隣接する天板３とともに同図中矢印Ｙ２で示すように浮き上がるといった現象が生じ易くなり、適正な設置・使用状態が損なわれるばかりか、天板の水平度や面一度、連続性も低下して見栄えの悪いものとなる。
【００２６】
そこで、本実施形態では、図４に示す中間脚２（２Ｖ）に対して、図５に示すように、目隠し機能や天板支持機能とともにウェイト付加部としての役割を果たす補助脚たるカバー脚Ｃを取り付け可能としている。このカバー脚Ｃは、図７に示すように、内パネル５と、外パネル６と、接地部７とから構成されている。
【００２７】
内パネル５は、図６等に示すように、面板５１の四辺に前後の縦枠５２、５３、上枠５４および下枠５５を形成したもので、上枠５４の上面には上方に突出して後向きに屈曲する固定爪５４ａが前後２箇所に設けてある。これらの固定爪５４ａは、前記ステー２２の下面対応位置に設けたフック孔２２ｅに下方から挿入されて後方にスライドすることによって奥行き方向および上下方向に係り合う関係にある。固定爪５４ａは、内パネル５の上縁をステー２２に固定する第１の係り合い部として機能しており、ステー２２のフック孔２２ｅは幅方向に対をなして設けられている。また、内パネル５の縦枠５２の外向面および中間脚２を構成する脚支柱２１の外面には、図７に示す内パネル５の取付状態においてそれぞれ対をなすフック孔５ｘ、２ｘを構成しており、当該内パネル５の縦枠５３の後面５３ａは脚支柱２１の前面２１ａに密接するように配置される。
【００２８】
一方、外パネル６は、取付状態で側板として機能する面板６１の少なくとも２辺に頂板６２及び前板６３を備えるとともに、面板６１の内面における前後両縁近傍に縦補強部６４，６５を設けたもので、これらの縦補強部６４、６５には、前記組をなすフック孔５ｘ、２ｘの対応部位に下向き爪６ｘが切り起こして設けてある。頂板６２はアングル状をなしており、外パネル６の装着時には、下向き爪６ｘをフック孔５ｘ、２ｘに挿入しつつ、この頂板６２を、天板３を取り除いた際に表出する前記ステー２２の片半部に可動爪２２ｂ、２２ｃやアンカー部２２ｄを乗り越えた位置に覆い被さるように押し下げることによって、外パネル６の扁平な内空に内パネル５及び中間脚２の一部を受容するようにしている。下向き爪６ｘは、内パネル５と脚支柱２２とを間接的に固定する第２の係り合い部として機能する。この結果、図７→図５に示すように、頂板６２の上面が天板３３の天板面にほぼ連続し、前板６３の前面の前後位置が天板３の使用縁３ａにほぼ合致し、面板６１が補強部６４，６５を介して内パネル５の縦枠５２や中間脚２の脚支柱２２の外面等にほぼ密着した状態で取り付けられて、新たな端部脚１Ａを構成するようにしている。外パネル６の前板６３は補強部６４，６５よりも面板６１からの突出量が大きく設定され、頂板６２がステー２２の片半部を塞ぐ際に前板６３が内パネル５の縦枠５２の前方を塞ぐ位置に配されるようにしている。
【００２９】
上記において、前記カバー脚Ｃを構成する内パネル５の面板５１には、図６に示すように上下にアングル状に突出する対向片５１ａ、５１ｂが設けてあり、これらの対向片５１ａ、５１ｂ間に所謂ケンドン方式で図６→図７に示すようにバランスウェイト８を装填可能としている。そして、その上から外パネル６を装着することによって、面板５１、６１間に扁平な中空部Ａを形成し、外パネル６がその中空部Ａを開閉する開閉部としての役割を果たすようになっている。バランスウェイト８は図６に示すように薄板状のものであり、前記中空部Ａ内に所定枚数を積層状態で装填することが可能とされている。
接地部７は、内パネル５の下枠５５における使用縁３ａ側にナット７１を介してアジャスタ７２を取り付けることによって構成され、内パネル５をステー２２の下面に固定爪５４ａを介してぶら下げるように取り付けた状態で、アジャスタ７２を調整することによって、内パネル５を床とステー２２の間に緊密に介在させることを可能としている。図１〜図４等には図示していないが、中間脚２の脚支柱２１の下端側にも、図７に示すようにアジャスタ２０が取り付けられている。
【００３０】
なお、この実施形態において、図１等に示す端部脚１は、中間脚２に内パネル５、外パネル６および接地部７からなるカバー脚Ｃを取り付けて構成される図５の新たな端部脚１Ａと同じ構造をなしている。したがって、このカバー脚Ｃを取り除けば図６に示すようにステー２２の天板支持面２２ａとともに中間脚２が表出した状態となり、その外側方に更に天板３の増連を行うことが可能となっている。
【００３１】
なお、天板３を多く増連し、左右両端の端部脚間が長くなりすぎた場合、前後に配置された天板を中間脚でバランスさせて支持する部分が長くなり、着座者が天板に凭れ掛かったり、天板上への積載物の重量が偏ってかかると、バランスが崩れてその部分の天板が下がる原因になる。これを防ぐために、適宜、中間脚の下方に図示しない補助脚を追加することができる。
【００３２】
補助脚は、端部脚よりも奥行き寸法が小さく、中間脚の下方空間に取付けてその前下端アジャスタ部が床に接地し、前上端部で中間脚水平部の前後中間位置を下方から支持する。端部脚よりも奥行き寸法が小さいため、天板の左右の連続性を損なうことも無く、着座者の邪魔にもなりにくい。
【００３３】
この補助脚の構造は、長方形パネル状のもので、その前端部に前述した端部脚と同様の爪５４aを備え、これを中間脚水平部のフック孔２２eにはめ込む。また、その後部には平面視Ｌ型の金具が後方に突出しており、これを中間脚垂直部のフック孔２ｘにはめ込むことで中間脚下部の空間に取付ける。
【００３４】
以上のように、本実施形態のデスクシステムは、反使用縁３ｂ側に接地し使用縁３ａ側にステー２２を延び出させた中間脚２と、反使用縁３ｂ側から使用縁３ａ側にかけて少なくとも２箇所で接地するパネル状の端部脚１と、隣接する中間脚２，２同士又は中間脚２と端部脚１との間を連結する連結部材たる背板４と、隣接する中間脚２のステー２２，２２間又は中間脚２のステー２２と端部脚１に内包される中間脚のステー２２との間にまたがって着脱可能に載せ置かれる天板３とを具備し、ステー２２を利用して複数の天板３を幅方向に連ねた状態で各天板３の下肢空間Ｓが中間脚２のステー２２の下方空間Ｔを介して幅方向に連続するように構成されるものである。
【００３５】
そして、天板３の一部を取り除いて図４に示す開放空間ＯＰを形成した際に、開放空間ＯＰに隣接する中間脚２（２Ｖ）に後付けで取り付け可能な図５〜図７に示すカバー脚Ｃを更に具備し、この補助脚Ｃを、中間脚２のステー２２の下方に配置される内パネル５と、この内パネル５を少なくとも使用縁３ａ側に接地させる接地部７とにより構成している。
【００３６】
このため、図５、７等に示したように、開放空間ＯＰと天板３の下肢空間Ｓとの間を内パネル５によって明確に仕切ることができ、下肢空間Ｓに対する遮蔽効果を通じてデスクの外観を整えるとともに、開放空間ＯＰを明確に区画することによって使い勝手を有効に向上させることができる。この場合、内パネル５の外面を化粧面となるように構成すれば、外パネル６を使用せずに外観を整えることも可能である。しかも、中間脚２のステー２２に作用する上載荷重Ｗ１の一部は内パネル５を介して使用縁３ａ側に接地する接地部７に支持されるため、天板３とともに端部脚１が取り除かれても、端部脚１に代替して奥行き方向の接地巾を有効に確保することが可能となる。
【００３７】
しかも、この実施形態のカバー脚Ｃは、内パネル５及び接地部７に加えて、それらの外側面を覆う位置に取り付け可能な外パネル６を更に備えているため、中間脚２と内パネル５との境界Ｚ（図７参照）が開放空間ＯＰ側に露出することを防止して、開放空間ＯＰの外観をより有効に向上させることができるとともに、内部にバランスウェイト８を格納するための中空部Ａ等も容易に形成可能なものとなる。
【００３８】
具体的に中間脚２は、図５〜図７等に基づいて説明したように、天板巾方向に沿ってステー２２の片半部ずつに隣接する天板３の側縁を載せ置く構造を有し、外パネル６は、天板３を取り除いた際に表出するステー２２の片半部に被るように取り付けられて、天板面にほぼ連続する頂板６２と、天板３の使用縁にほぼ前後位置を合致させる前板６３と、内パネル５及び中間脚２の外側面にほぼ密着する側板６１とを備えているため、中間脚２を共有する天板３，３の一方を取り除いた際に露出する中間脚２のステー２２を脚支柱２１を含めて好適に目隠ししつつ、その部位にカバー脚Ｃによる新たな端部脚１Ａを容易に構成することができる。
【００３９】
また、内パネル５は、図６および図７等に示したように、前方からスライドすることによって中間脚２のステー２２の下面に係り合う第１の係り合い部たる固定爪５４ａを有し、外パネル６は、鉛直方向に落とし込むことによって内パネル５及び中間脚２の外側面に係り合う第２の係り合い部たる下向き爪６ｘを有しているため、内パネル５をステー２２の下面に取り付けるだけの簡単な取付構造としても、外パネル６を取り付けた段階で内パネル５は中間脚２にも間接的に係り合うことになり、厚み方向の振れ止めも有効に図ることが可能となる。
【００４０】
さらに、端部脚１が、中間脚２にカバー脚Ｃを取り付けて構成されているため、天板３を取り除いた位置に形成される端部脚１Ａを、それ以外の端部脚１と同様の見え掛かりにして統一感を得ることができるとともに、必要に応じて端部脚１からカバー脚Ｃを取り除けば、その部位に対して新たに天板３の増連を行うことが可能となり、レイアウト変更の自由度を飛躍的に高めることができる。
【００４１】
また、上記の態様では、複数の天板３を幅方向に連ねた図１の状態から、一部の天板３を端部脚１とともに取り除いて図５に示した開放空間ＯＰを形成する場合に、カバー脚Ｃを当該開放空間ＯＰに隣接する中間脚２（２Ｖ）に取り付けてこれを隠蔽するようにしたが、本実施形態のデスクシステムは、複数の天板３を幅方向に連ねた図１の状態から、一部の天板３を左右の天板３の間から中抜きして図８に示すような開放空間ＯＰ２を形成する場合に、カバー脚Ｃを当該開放空間ＯＰ２に隣接する両側の中間脚２（２Ｗ）に取り付けるレイアウトも可能である。このように、天板３をどの位置で取り除いても、開放空間ＯＰ２の明確な区画が可能となり、開放空間ＯＰ２等の良好な使い勝手も確保することができる。
【００４２】
なお、各部の具体的な構成は、上述した実施形態のみに限定されるものではない。
【００４３】
例えば、上記実施形態の端部脚は前後２箇所で接地するものであったが、前縁側から後縁側に亘る部位を連続的に接地させるような態様のものであっても構わない。補助脚にも、中間脚に組付けられた状態で、前縁側から後縁側に亘る部位を連続的に接地させるような支持構造を用いることもできる。
【００４４】
また、上記実施形態の中間脚は逆Ｌ字状をなし、背板を介して奥行き方向に背合わせに連結されていたが、天板を一対に載せ置くようにしたＴ字状のものを用いても構わない。
【００４５】
さらに、例えば、対面使用可能に配置している一対の天板３，３の一方を取り除いて片側のみに天板３を幅方向に連続させるレイアウトを採用する場合には、中間脚２が反使用縁３ｂ側に接地しているのみであるため、天板全体が天板巾方向に沿って左右両端の端部脚１のみに支持された状態となり、幅方向の中央に近い位置ほど天板３の沈み込みが激しく、全体が撓んだ状態となり易い。このような場合に、天板３の下方において上記の内パネル５をステー２２の下方に配置すれば、中央よりに位置する天板３を適切に支持して、設置状態、使用状態の適正化を図るために利用することも可能になる。この場合、外パネルよりも若干高さ寸法の小さいパネルを前記内パネルに装着して中空部Ａを閉止しておけば外観も確保することができる。
【００４６】
その他の構成も、本発明の趣旨を逸脱しない範囲で種々変形が可能である。
【図面の簡単な説明】
【００４７】
【図１】本発明の一実施形態に係るデスクシステムにより構成されるデスクの斜視図。
【図２】図１に対応した部分分解斜視図。
【図３】同デスクを構成する中間脚の構造を概略的に示す側断面図。
【図４】同デスクを天板の一部を取り除いたレイアウト状態で示す斜視図。
【図５】図４のデスクにカバー脚を取り付けた状態を示す斜視図。
【図６】カバー脚の構造及び取付手順を示す斜視図。
【図７】カバー脚の構造及び取付手順を示す斜視図。
【図８】同デスクの他のレイアウトを示す斜視図。
【符号の説明】
【００４８】
１…端部脚
２…中間脚
２Ｖ，２Ｗ…開放空間に隣接する中間脚
３…天板
３ａ…使用縁
３ｂ…反使用縁
４…連結部材（背板）
５…内パネル
６…外パネル
６ｘ…第２の係り合い部（下向き爪）
７…接地部
２２…水平部（ステー）
５４ａ…第１の係り合い部（固定爪）
６１…側板
６２…頂板
６３…前板
Ｃ…補助脚（カバー脚）
ＯＰ…開放空間
Ｓ…下肢空間
Ｔ…下方空間
【図１】
2010004936.tif 000003
【図２】
2010004936.tif 000004
【図３】
2010004936.tif 000005
【図４】
2010004936.tif 000006
【図５】
2010004936.tif 000007
【図６】
2010004936.tif 000008
【図７】
2010004936.tif 000009
【図８】
2010004936.tif 000010